(57)【要約】【課題】  溶接時の作業性の向上を図ることである。また本発明の別の課題として、回転電機の部品同士の接続信頼性を向上させることである。【解決手段】  本発明に係る回転電機は、接続部を有する固定子巻線と、前記接続部との溶接部を有するバスバーターミナルと、を備え、前記バスバーターミナルは、前記固定子巻線を挟みかつ互いに対向する第１保持部及び第２保持部と、前記第１保持部と前記第２保持部との対向空間内または当該対向空間に隣り合う位置に配置されかつ前記固定子巻線部の離脱を規制する規制部と、を有する。【選択図】  図５
2017212781.tif 000002
【特許請求の範囲】
【請求項１】
接続部を有する固定子巻線と、
前記接続部との溶接部を有するバスバーターミナルと、を備え、
前記バスバーターミナルは、
前記固定子巻線を挟みかつ互いに対向する第１保持部及び第２保持部と、
前記第１保持部と前記第２保持部との対向空間内または当該対向空間に隣り合う位置に配置されかつ前記固定子巻線部の離脱を規制する規制部と、を有する回転電機。
【請求項２】
請求項１に記載された回転電機であって、
前記第２保持部の一端は、屈曲部を介して前記第１保持部と繋がり、
前記第２保持部は、当該第２保持部の他端と前記規制部との距離が前記固定子巻線部の厚み方向の長さよりも小さくなるように形成される回転電機。
【請求項３】
請求項１または２に記載された回転電機であって、
前記固定子巻線は、当該固定子巻線の断面が円形となるように形成され、
前記規制部の高さは、前記固定子巻線の円形断面の半径より大きい回転電機。
【発明の詳細な説明】
【技術分野】
【０００１】
本発明は、回転電機であり、特にブラシレスモータの固定子巻線の引き出し部位置をバスバーターミナルの規制部で規制した構造に関する。
【背景技術】
【０００２】
固定子巻線とバスバーターミナルを電気接続する際、溶接により接続しているが、溶接後に固定子巻線が振動等で振られることにより、溶接部に応力が発生することを避けるため、機電接続部付近で固定子巻線を機械的に保持する必要があり、バスバーターミナルに加締め部を設けて、溶接前に固定子巻線を加締め固定する構造としている（特許文献１参照）。
【０００３】
従来の構造において、固定子巻線をバスバーターミナルに加締める時、固定子巻線が離脱してしまい、バスバーターミナル溶接部と固定子巻線の位置が合わず、溶接が困難になるおそれがあった。
【先行技術文献】
【特許文献】
【０００４】
【特許文献１】特開2013-211945号公報
【発明の概要】
【発明が解決しようとする課題】
【０００５】
本発明の課題は、溶接時の作業性の向上を図ることである。また本発明の別の課題として、回転電機の部品同士の接続信頼性を向上させることである。
【課題を解決するための手段】
【０００６】
本発明に係る回転電機は、接続部を有する固定子巻線と、前記接続部との溶接部を有するバスバーターミナルと、を備え、前記バスバーターミナルは、前記固定子巻線を挟みかつ互いに対向する第１保持部及び第２保持部と、前記第１保持部と前記第２保持部との対向空間内または当該対向空間に隣り合う位置に配置されかつ前記固定子巻線部の離脱を規制する規制部と、を有する。
【発明の効果】
【０００７】
本発明により、溶接時の作業性を向上させることができる。また本発明により、回転電機の部品同士の接続信頼性を向上させることができる。
【図面の簡単な説明】
【０００８】
【図１】本実施形態に係る永久磁石界磁型ブラシレスモータの固定子部１００に関する斜視図である。
【図２】本実施形態に係る永久磁石界磁型ブラシレスモータの固定子部１００に関する断面図である。
【図３】固定子巻線５の巻き終わり部の引き出し線をインシュレータ４の突部４ａへ巻きつけた後、端子台８のバスバーターミナル７と電気的に接続している箇所(図１のＡ部)の拡大外観図である。
【図４】機電接続部７ａについて、バスバーターミナル７の屈曲部７ｂと、規制部７ｃの間に固定子巻線５を通した状態での正面図である。
【図５】図４の矢印方向Ｂから見たバスバーターミナル７の側面図である。
【図６】バスバーターミナル７と固定子巻線５を加締める前の正面図である。
【図７】図６の矢印方向Ｃから見たバスバーターミナル７の側面図である。
【発明を実施するための形態】
【０００９】
以下、本発明に係る実施形態について、図１ないし図７を用いて説明する。
【実施例】
【００１０】
本実施形態の永久磁石界磁型ブラシレスモータの固定子部１００(回転子部は除く)の斜視図を図１に示し、断面図を図２示す。
【００１１】
固定子部１００は、固定子鉄心１を有しており、固定子鉄心１をハウジング２に固定している。
【００１２】
固定子鉄心１は、ハウジング２の内周側の全周に渡り、等間隔に配置された複数の突極磁極部３を有する。この突極磁極部３には、絶縁性部材であるインシュレータ４をモールドし、このインシュレータ４を介して、固定子巻線５を巻回している。
【００１３】
端子台８は、固定子巻線５を外部の電源に接続するための複数のバスバー(図示せず)及び、複数の絶縁物(図示せず)を樹脂モールド成型したもので、ハウジング２の内部に挿入される。
【００１４】
複数のバスバーは、固定子巻線５の巻き始め部の引き出し線及び巻き終わり部の引き出し線と電気的に接続するための複数のバスバーターミナル７を形成している。複数のバスバーターミナル７のそれぞれと引き出し線の接続は、機電接続部７ａにてＴｉｇ溶接等により電気的に接続する。複数のバスバーターミナル７は、コネクタ部６に向かって集約化される。
【００１５】
図３は、固定子巻線５の巻き終わり部の引き出し線をインシュレータ４の突部４ａへ巻きつけた後、端子台８のバスバーターミナル７と電気的に接続している箇所(図１のＡ部)の拡大外観図を示す。図４は、機電接続部７ａについて、バスバーターミナル７の屈曲部７ｂと、規制部７ｃの間に固定子巻線５を通した状態での正面図である。図５は、図４の矢印方向Ｂから見たバスバーターミナル７の側面図である。
【００１６】
図５に示されるように、バスバーターミナル７は、引き出し線を保持するための第１保持部７ｄと、第１保持部７ｄと対向する第２保持部７ｅとにより構成される。規制部７ｃは、バスバーターミナル７の加締め時に、固定子巻線５の引き出し線が図５の右方向へ離脱しない様に規制している。これにより、固定子巻線５は、第１保持部７ｄと第２保持部７ｅにより形成される空間と、規制部７ｃと屈曲部７ｂとの間に配置され、離脱が困難である。バスバーターミナル７の加締め後、Ｔｉｇ溶接等により固定子巻線５とバスバーターミナル７を機電接続部７ａで電気的に接続する。
【００１７】
第２保持部７ｅの一端は、屈曲部７ｂを介して第１保持部７ｄと繋がる。図５に示されるように、第２保持部７ｅは、当該第２保持部７ｅの他端と規制部７ｃとの距離７ｆが、固定子巻線５の厚み方向の長さ５ａよりも小さくなるように形成される。
【００１８】
作用効果
図６は、バスバーターミナル７と固定子巻線５を加締める前の正面図である。図７は、図６の矢印方向Ｃから見たバスバーターミナル７の側面図である。
【００１９】
固定子巻線５は、断面が円形となるように形成される。本実施形態では、規制部７ｃの高さ７ｇは、固定子巻線５の円形断面の半径５ｂよりも小さくなるように形成される。これにより、固定子巻線５が第１保持部７ｄと第２保持部７ｅに挟まれて変形しても、第２保持部７ｅが規制部７ｃと接触することなく第２保持部７ｅが変位して、固定子巻線５を保持する力を十分に確保することができる。
【００２０】
固定子巻線５が第１保持部７ｄと第２保持部７ｅに挟まれてもあまり変形せず、第２保持部７ｅが変位している途中で、固定子巻線５が規制部７ｃを乗り越えてしまうおそれがある。そのような場合に備えて、規制部７ｃの高さ７ｇが固定子巻線５の円形断面の半径５ｂよりも大きくなるように形成してもよい。
【００２１】
本実施形態においては、バスバーターミナル７に規制部７ｃを設けた構造とし、固定子巻線５を屈曲部７ｂと規制部７ｃ間にフォーミングすることで、固定子巻線５の位置決めを可能とし、固定子巻線５の位置ばらつきを抑制するとともに、Ｔｉｇ溶接等の電気的接続作業を安定させる構造としている。
【００２２】
本実施形態の規制部７ｃを突起構造として、固定子巻線５の離脱を規制しているが、接着剤や粗面で規制する構造であってもよい。
【符号の説明】
【００２３】
１…固定子鉄心、２…ハウジング、３…突極磁極部、４…インシュレータ、４ａ…突部、５…固定子巻線、５ａ…固定子巻線５の厚み方向の長さ、５ｂ…円形断面の半径、６…コネクタ部、７…バスバーターミナル、７ａ…機電接続部、７ｂ…屈曲部、７ｃ…規制部、７ｄ…第１保持部、７ｅ…第２保持部、７ｆ…第２保持部７ｅの他端と規制部７ｃとの距離、７ｇ…規制部７ｃの高さ、８…端子台、１００…固定子部
【図１】
2017212781.tif 000003
【図２】
2017212781.tif 000004
【図３】
2017212781.tif 000005
【図４】
2017212781.tif 000006
【図５】
2017212781.tif 000007
【図６】
2017212781.tif 000008
【図７】
2017212781.tif 000009